(57)【要約】【課題】壁などの吸着対象面にクギなどで傷を付けずに物品を吊るすなどの吸着部材として，吸盤では対応が難しい平滑度の粗い吸着対象面への吸着性や，粘着材の欠点である剥離性の難点などの欠点を解決するために，相互の利点である，吸盤の吸着性と剥離性，粘着材の粘着性を複合的に活用することにより，吸着対象面に安定して吸着保持できるとともに，貼り付け，剥離が簡単なドームプレートホルダーを提供する。【解決手段】軟質の合成樹脂で形成され，ドーム状吸着部，押圧部，剥離構造などを有する吸盤，ならびに軟質粘着性の合成樹脂，合成ゴムなどで形成され，ドーム状吸着部の接触径内に収まるサイズの開口部を備え，表面のドーム状吸着部との接触範囲，および裏面の対向範囲をそれぞれ平坦部とするプレートで構成するホルダーに関し，プレートの裏面の平坦部を吸着対象面に粘着させ，表面の平坦部に吸盤を押圧することにより，吸着対象面に対して，プレートの開口部と吸盤のドーム状吸着部が一体の吸着構造として機能するドームプレートホルダー。【選択図】図１
0003143592.tif 000002
【実用新案登録請求の範囲】
【請求項１】
軟質の合成樹脂で形成され，ドーム状吸着部，押圧部，剥離構造などを有する吸盤，ならびに軟質粘着性の合成樹脂，合成ゴムなどで形成され，ドーム状吸着部の接触径内に収まるサイズの開口部を備え，表面のドーム状吸着部との接触範囲，および裏面の対向範囲をそれぞれ平坦部とするプレートで構成するホルダーに関し，プレートの裏面の平坦部を吸着対象面に粘着させ，表面の平坦部に吸盤を押圧することにより，吸着対象面に対して，プレートの開口部と吸盤のドーム状吸着部が一体の吸着構造として機能し，吸盤の剥離構造を操作するまでの間，吸着対象面にホルダーを安定して吸着保持できるとともに，貼り付け，剥離が簡単なドームプレートホルダー。
【請求項２】
プレートの表面，ならびに裏面の一部又は全域を非粘着材で被覆する，請求項１に記載するドームプレートホルダー。
【請求項３】
軟質非粘着性の合成樹脂，合成ゴムなどでプレートを形成し，プレートの裏面の平坦部を吸着対象面に接触させ，表面の平坦部に吸盤を押圧する，請求項１に記載するドームプレートホルダー。
【考案の詳細な説明】
【技術分野】
【０００１】軟質の合成樹脂で形成され，ドーム状吸着部，押圧部，剥離構造などを有する吸盤，ならびに軟質粘着性の合成樹脂，合成ゴムなどで形成され，ドーム状吸着部の接触径内に収まるサイズの開口部を備え，表面のドーム状吸着部との接触範囲，および裏面の対向範囲をそれぞれ平坦部とするプレートで構成するホルダーに関し，プレートの裏面の平坦部を吸着対象に粘着させ，表面の平坦部に吸盤を押圧することにより，吸着対象面に対して，プレートの開口部と吸盤のドーム状吸着部が一体の吸着構造として機能するドームプレートホルダー。
【背景技術】
【０００２】壁などの吸着対象に傷を付けずに物品を吊り下げたりする吸着部材としては，吸盤や粘着材が利用されるが，吸盤は，吸着対象面の平滑度が粗い場合に気密が維持できずに，凹凸部から空気が流入して脱落する傾向が有るが，剥離構造により剥離が容易である利点は有る。粘着材は，粘着度が強い場合は平滑度が粗い面に対しても良好な吸着が図られるものの，粘着度が強いほど剥離が困難となり，吸着対象の表面を傷付ける場合も有る。このため，吸盤に粘着材などを貼り付けたり，粘着材で吸盤を形成するなど，吸着性と粘着性の両方の機能を活用するための種々な提案がなされているが，吸盤に粘着材を貼り付けることは容易ではなく，また所要の吸着力や剥離性を得ることにも難点が有るなど，課題は解決されていない。
【考案が解決しようとする課題】
【０００３】壁などの吸着対象面にクギなどで傷を付けずに物品を吊るすなどの吸着部材として，吸盤では対応が難しい平滑度の粗い吸着対象面への吸着性や，粘着材の欠点である剥離性の難点などを解決するために，相互の利点である，吸盤の吸着性と剥離性，粘着材の粘着性を複合的に活用することにより，吸着対象面に安定して吸着保持できるとともに，貼り付け，剥離が簡単なドームプレートホルダーを提供する。
【課題を解決するための手段】
【０００４】軟質の合成樹脂で形成され，ドーム状吸着部，押圧部，剥離構造などを有する吸盤，ならびに軟質粘着性の合成樹脂，合成ゴムなどで形成され，ドーム状吸着部の接触径内に収まるサイズの開口部を備え，表面のドーム状吸着部との接触範囲，および裏面の対向範囲をそれぞれ平坦部とするプレートで構成するホルダーに関し，プレートの裏面の平坦部を吸着対象面に粘着させ，表面の平坦部に吸盤を押圧することにより，吸着対象面に対して，プレートの開口部と吸盤のドーム状吸着部が一体の吸着構造として機能するドームプレートホルダー。
【考案の効果】
【０００５】吸盤による吸着力と剥離容易性，粘着材による粘着力を複合的に組み合わせて，ホルダー全体を一つの吸着構造として機能させることにより，吸盤の難点である吸着対象面の平滑度の粗さへの対応，粘着材の難点である剥離の困難さ，ならびに汚れによる粘着力の低下など，それぞれが有している欠点を補完することにより，吸着対象面に安定して吸着保持できるとともに，貼り付け，剥離が簡単なドームプレートホルダーが実現される。
【考案を実施するための最良の形態】
【０００６】図１は本考案による吸盤粘着ユニットの概観斜視図であり，プレート２に吸盤１を押圧した状態を示し，６はプレートの平坦部，７はプレートの開口部を示す。吸盤１はエラストマーなどで形成され，プレート２はポリウレタンなどで形成される。図２は吸盤の概観斜視図を示し，３はドーム状吸着部，４は押圧部，５は剥離構造を示す。図３はプレートの概観斜視図であり，６はドーム状吸着部との接触範囲の平坦部，７はドーム状吸着部と一体の吸着構造を構成して気密を維持するため，ドーム状吸着部の下端の接触径内に収まるサイズの開口部を示す。【０００７】軟質粘着性の合成樹脂，合成ゴムなどで形成されるプレートの裏面の平坦部を吸着対象に貼り付けて，表面の平坦部に吸盤を押圧して吸着させることにより，吸盤と表面のプレート平坦部，吸着対象面と裏面のプレート平坦部での粘着，吸着により空気漏れが防がれ，開口部７と吸盤のドーム状吸着部３が一体の吸着構造として機能し，吸盤の剥離構造５を操作して吸着構造に外気を注入するまでの間は，吸盤が吸着対象に安定して吸着保持される。吸着対象面とプレートの裏面の平坦部との粘着強さ，剥離容易性は，軟質合成樹脂，合成ゴムなどの粘着力と吸着対象面への裏面のプレート平坦部の粘着面積により設定される。従って，プレート６の幅は，表面に吸盤を押圧した時に生ずる接触部の潰れによる拡張量，裏面平坦部の吸着対象面への粘着力，ならびに吸着対象面からの剥離力などを考慮して決めるが，一般的には，吸盤の潰れによる拡張量は数ミリ程度と少なく，また，吸着対象面と裏面のプレート平坦部での空気漏れを防ぐ機能は，プレートの軟質性と吸盤の吸着力を主とするため，プレートの軟質性を高くして，吸盤サイズを大きくして吸着力を強く構成すれば，平坦部の広さはそれ程必要とせず剥離性も許容できる範囲とすることが出来る。【０００８】図４はドーム状吸着部の接触範囲を超えるサイズの平坦部を備えるプレートの外観斜視図を示す。６はドーム状吸着部の接触範囲として適するサイズの平坦部であり，８は接触範囲を越える平坦部を示す。裏面の平坦部は吸着対象面に粘着させるため，所要のサイズが無いと粘着力が確保されず，広すぎると粘着力が強すぎてプレートが剥離し難くなる。このため，吸着対象面への裏面の平坦部の粘着サイズにより，粘着力と剥離力を最適化することが出来るとともに，粘着材は，手の汚れなどが付着し易く，汚れると粘着力が低下するため，プレートに直接手を触れさせない目的や，プレートの粘着，剥離の操作のし易さなどから，請求項２に記載する，ドーム状吸着部の接触範囲を超える平坦部の適切な部分を非粘着材で被覆することが有効である。【０００９】プレートの粘着性と吸盤の有する吸着性，剥離性を複合的に活用する構成であるため，プレートと吸盤は，平坦部とドーム状吸着部，粘着力と吸着力などに関しての適合が大切であり，一対の構成が必要で有る。吸着対象面の平滑度が粗い場合への対処としては，プレートとして出来るだけ粘着性が高く，かつ軟質性の高い部材を使用することにより吸盤構造による気密性を維持し，粘着力と吸着力により吸着対象面への吸着を維持する。また，微細な粉塵などにより粘着材の粘着力が劣化した場合や，吸着対象面が水などで濡れた場合などへの対処としては，粘着材による粘着性が劣化しても吸着対象面への吸着を維持するため，吸盤サイズを大きくして吸盤機能による吸着性を高めて吸着対象面に吸着保持する構成とする。
【実施例】
【００１０】本考案のドームプレートホルダーは，ドーム状吸着部とプレートの開口部が一体の吸着構造として機能することにより吸着対象面に対して安定して吸着する。プレートとして粘着性を有する粘着素材を使用する場合は，吸着対象面とプレートとの保持力は，吸着力に粘着力も加わる。しかし，粘着素材に関しては，剥離性に難点があり，汚れ易く，汚れにより粘着力が低下する傾向も有るため，請求項３に示すように，プレートに粘着材を使用せず，出来るだけ軟質性の高いゲル状部材を使用して吸着対象面の平滑度の粗さを補って吸着力だけで保持力を得ることも可能であり，粘着材を使用した場合と比較して保持力は下がるが，剥離性に優れ汚れ難い点での利点は大きい。【００１１】実施例としては，Φ４０ｍｍ，高さ１５ｍｍのエラストマー材の吸盤と，Φ５０ｍｍ，開口部Φ３０ｍｍ，厚さ２ｍｍのポリウレタン材のプレートで構成した。吸盤やプレートのサイズは，必要とされる吸着保持力により選択，設定されるが，ドーム状吸着部が大きい程，吸着力は強くなる。吸盤は塩化ビニール材，プレートはシリコンゴム材などの適用も可能である。吸盤の剥離部材に関しては，摘み突起構造を使用したが，摘み突起構造ではなく空気栓を開いて外気を注入する剥離方法でも良い。プレートやプレートの開口部は円形の必要は無く各種の形状にデザインされても良い。プレートに粘着材を使用する場合は，両面に粘着性を備えず，表面は非粘着性，裏面は粘着性で形成しても良い。プレートを形成する粘着材は，汚れた場合は水などで洗浄することにより粘着力が再生される。また，ドーム状吸着部とプレートが分離構造のため，平滑度の高い吸着対象には，プレートを使用せず，吸盤だけを使用する剥離性や汚れの心配が無い使い方も出来る。さらに，吸着状況を目視確認するために，吸盤やプレートは透明材を使用することも有効であるなど，素材，各種ディメンジョンなどに関しては，本考案の趣旨を逸脱しない範囲であれば，種々変形実施が可能である。
【図面の簡単な説明】
【００１２】
【図１】本考案によるドームプレートホルダーの外観斜視図
【図２】吸盤の外観斜視図
【図３】プレートの外観斜視図
【図４】吸盤の接触範囲を超える広い平坦部を備えるプレートの外観斜視図
【符号の説明】
１  吸盤                        ６  平坦部
２  プレート                    ７  開口部
３  ドーム状吸着部              ８  ドーム状吸着部の接触範囲を超える平坦部
４  押下部
５  剥離構造
【図１】
0003143592.tif 000003
【図２】
0003143592.tif 000004
【図３】
0003143592.tif 000005
【図４】
0003143592.tif 000006